(57)【要約】【課題】太陽などの天体の方位を小さい表示スペースでも直感的に分かり易く表示することのできる電子機器及び表示制御プログラムを提供することを目的とする。【解決手段】本発明に係る電子機器は、天体の出の方位及び入りの方位を、円弧状のスケールを用いて表示する。【選択図】図３
2016138779.tif 000002
【特許請求の範囲】
【請求項１】
天体の出の方位及び入りの方位を、円弧状のスケールを用いて表示する電子機器。
【請求項２】
表示される方位が現実の方位と一致するように前記表示を行う、
請求項１に記載の電子機器。
【請求項３】
前記出の方位及び前記入りの方位と共に、現在時刻における前記天体の方位を表示する、
請求項１又は２の何れか一項に記載の電子機器。
【請求項４】
前記出の時刻と前記入りの時刻との少なくとも一方を、前記出の方位及び前記入りの方位と共に表示する、
請求項１〜３の何れか一項に記載の電子機器。
【請求項５】
前記出の時刻又は前記入りの時刻までの残り時間を、前記出の方位及び前記入りの方位と共に表示する、
請求項１〜４の何れか一項に記載の電子機器。
【請求項６】
前記出の方位から前記入りの方位までの角度範囲を部分輪帯状のイメージで表す、
請求項１〜５の何れか一項に記載の電子機器。
【請求項７】
地球における前記電子機器の位置を示す情報と、前記地球に対する前記天体の相対的な位置関係を示す情報とに基づき、前記入りの方位及び前記出の方位を求める、
請求項１〜６の何れか一項に記載の電子機器。
【請求項８】
ユーザーの所定部位へ装着可能である、
請求項１〜７の何れか一項に記載の電子機器。
【請求項９】
前記所定部位は、腕又は手首である、
請求項８に記載の電子機器。
【請求項１０】
表示画面の１２時方向を前記ユーザーの正面とみなして前記表示を行う、
請求項９に記載の電子機器。
【請求項１１】
前記天体は、太陽又は月である、
請求項１〜１０の何れか一項に記載の電子機器。
【請求項１２】
天体の出の方位及び入りの方位を、円弧状のスケールを用いて電子機器に表示すること、
をコンピューターに実行させる表示制御プログラム。
【発明の詳細な説明】
【技術分野】
【０００１】
本発明は、電子機器及び表示制御プログラムに関する。
【背景技術】
【０００２】
登山等のアウトドア活動において日の出や日の入りに関心を持つ人は多い。現在においてもスマートフォンのアプリケーションなどで地図上に日の出の時刻や方角を提示するものは提案されている。また、天体の出没時刻や出没方向を表示するカメラも既に提案されている（特許文献１等を参照。）。
【先行技術文献】
【特許文献】
【０００３】
【特許文献１】特開２０１１−１７２１０２号公報
【発明の概要】
【発明が解決しようとする課題】
【０００４】
アウトドアにおける機器は、基本的にハンズフリーでの使用が望まれるため、日の出の方位についてもスマートフォンやカメラのような手持ち型携帯機器よりも時計のような装着型携帯機器（いわゆるリスト機器）に表示させた方が便利である。しかし、リスト機器は表示画面のサイズがスマートフォンやカメラなどと比較して小さいので、表示できる情報量に制限がある。
【０００５】
本発明は、以上のような問題点に鑑みてなされたものであり、本発明のいくつかの態様は、太陽などの天体の方位を小さい表示スペースでも直感的に分かり易く表示することのできる電子機器及び表示制御プログラムを提供することを目的とする。
【課題を解決するための手段】
【０００６】
本発明は前述の課題の少なくとも一部を解決するためになされたものであり、以下の態様又は適用例として実現することが可能である。
【０００７】
［適用例１］
本適用例に係る電子機器は、天体の出の方位及び入りの方位を、円弧状のスケールを用いて表示する。
【０００８】
このように、方位を示すためにテキストではなく円弧状のスケールを用いれば、一般的な方位磁石（筒状ケースと文字盤と針とを有するもの）と同様に、天体の出の方位及び天体の入りの方位をユーザーへ感覚的に知らせることができる。また、仮に、円弧状のスケールに詳細な目盛りを付与しなかったとしても、ユーザーは、天体の出の方位及び天体の入りの方位を認識することが可能である。従って、天体の出の方位及び天体の入りの方位の表示に要するスペースは、小さく抑えられる。なお、ここでいう「円弧状のスケール」とは、円弧状の座標軸のことを指す。但し、この座標軸は、目盛りが付与された座標軸に限定されることは無く、目盛りの付与されていない座標軸や、非表示の座標軸（透明な座標軸）をも含むものとする。
【０００９】
［適用例２］
本適用例に係る電子機器は、表示される方位が現実の方位と一致するように前記表示を行う。
【００１０】
従って、ユーザーが如何なる方向を向いていようとも、天体の出の方位及び天体の入りの方位は実際の方位を示す。よって、例えば、写真撮影の構図を決める際に、ユーザーが姿勢を様々に変化させた場合であっても、天体の出の方位及び天体の入りをユーザーが容易に認識できる。
【００１１】
［適用例３］
本適用例に係る電子機器は、前記出の方位及び前記入りの方位と共に、現在時刻における前記天体の方位を表示する。
【００１２】
従って、ユーザーは、過去、現在時刻、未来における天体の大まかな動きを把握することができる。また、ユーザーは、この表示により、現在時刻から出の時刻又は入りの時刻までのおおよその時間を推測することも可能である。
【００１３】
［適用例４］
本適用例に係る電子機器は、前記出の時刻と前記入りの時刻との少なくとも一方を、前記出の方位及び前記入りの方位と共に表示する。
【００１４】
従って、ユーザーは、出の方位及び入りの方位と共に、出の時刻又は入りの時刻を正確に知ることができる。
【００１５】
［適用例５］
本適用例に係る電子機器は、前記出の時刻又は前記入りの時刻までの残り時間を、前記出の方位及び前記入りの方位と共に表示する。
【００１６】
この場合、ユーザーは、現在時刻から出の時刻又は入りの時刻までの時間を正確に知ることができる。
【００１７】
［適用例６］
本適用例に係る電子機器は、前記出の方位から前記入りの方位までの角度範囲を部分輪帯状のイメージで表す。
【００１８】
従って、ユーザーは、出の方位から入りの方位までの方位角を直感的に知ることができる。また、ユーザーは、天体を観測可能な時間のおおよその長さや、天体を観測できない時間のおおよその長さなどを把握することもできる。
【００１９】
［適用例７］
本適用例に係る電子機器は、地球における前記電子機器の位置を示す情報と、前記地球に対する前記天体の相対的な位置関係を示す情報とに基づき、前記入りの方位及び前記出の方位を求める。
【００２０】
従って、電子機器に表示される入りの方位及び出の方位は、地球における電子機器の位置に対応した方位であるので、ユーザーにとって適切な入りの方位及び出の方位を提示できる。また、例えば、地球に対する天体の相対的な位置関係を示す情報としてテーブルなどを使用すれば、入りの方位及び出の方位を求めるための計算量を軽減することもできる。
【００２１】
［適用例８］
本適用例に係る電子機器は、ユーザーの所定部位へ装着可能である。
【００２２】
従って、ユーザーは、天体の出の方位及び天体の入りの方位を、ハンズフリーの状態で確認することができる。
【００２３】
［適用例９］
本適用例に係る電子機器の前記所定部位は、腕又は手首である。
【００２４】
従って、ユーザーは、電子機器を腕時計等と同様の感覚で使用することができる。
【００２５】
［適用例１０］
本適用例に係る電子機器は、表示画面の１２時方向を前記ユーザーの正面とみなして前記表示を行う。
【００２６】
従って、ユーザーは、電子機器を腕時計等と同様の感覚で使用することができる。しかも、ユーザーの腕の姿勢が変化した場合であっても、電子機器に表示された内容が読みとりにくくなるという事態を避けることができる。なお、ここでいう「表示画面の１２時方向」とは、表示画面を１２時制の時計の文字板とみなした場合における１２時の方向のことである。
【００２７】
［適用例１１］
本適用例に係る電子機器において、前記天体は、太陽又は月である。
【００２８】
従って、ユーザーは、太陽又は月の入りの方位及び出の方位を、電子機器で確認することができる。よって、例えば、太陽の撮影において、ユーザーがカメラの構図を定める際に、電子機器を利用できる。また、例えば、月の観察又は撮影において、ユーザーが望遠鏡の視野又はカメラの構図を定める際に、表示機器を利用できる。
【００２９】
［適用例１２］
本適用例に係る表示制御プログラムは、天体の出の方位及び入りの方位を、円弧状のスケールを用いて電子機器に表示することをコンピューターに実行させる。
【００３０】
このように、方位を示すためにテキストではなく円弧状のスケールを用いれば、一般の方位磁石（筒状ケースと文字盤と針とを有するもの）と同様に、天体の出の方位及び天体の入りの方位をユーザーへ感覚的に知らせることができる。また、仮に、円弧状のスケールに詳細な目盛りを付与しなかったとしても、ユーザーは、天体の出の方位及び天体の入りの方位を認識することが可能である。従って、天体の出の方位及び天体の入りの方位の表示に要するスペースは、小さく抑えられる。
【図面の簡単な説明】
【００３１】
【図１】第１実施形態の電子機器１の概要を説明するための図である。
【図２】第１実施形態の電子機器１の構成を説明するための図である。
【図３】第１実施形態における電子機器１の表示画面の例を説明するための図である。
【図４】第１実施形態における電子機器１の表示画面の更なる例を説明するための図である。
【図５】表示画面の別の例を説明するための図である。
【図６】表示画面の別の例（表示画面が長方形である場合）を説明するための図である。
【発明を実施するための形態】
【００３２】
以下、本発明の好適な実施形態について図面を用いて詳細に説明する。なお、以下に説明する実施形態は、特許請求の範囲に記載された本発明の内容を不当に限定するものではない。また以下で説明される構成の全てが本発明の必須構成要件であるとは限らない。
【００３３】
１．電子機器
１−１．第１実施形態
［機器の概要］
図１は、本実施形態の電子機器の概要を説明するための図である。図１に示すように、例えば、電子機器１は、登山などのアウトドアシーンにおいてユーザーの身体の一部へ装着される携帯情報機器である。必要なときにユーザーが目視できるよう、電子機器１の装着先は、肘から手に至る部位（前腕）である。図１に示す例では、電子機器１はリスト型（腕時計型）の携帯情報機器（アウトドアウォッチ）として構成され、電子機器１の装着先は手首とされている。
【００３４】
電子機器１は、アウトドアウォッチとしての一般的な機能である計時機能、方位検出機能（コンパス機能）、測位機能などに加え、天体の入りの方位を表示する機能、天体の出の方位を表示する機能などを有している。天体とは、例えば地球から観察可能な天体であって、太陽、月、金星、オリオン座などである。
【００３５】
電子機器１を装着して登山に出かけたユーザーは、例えば、日没前に山頂に到達すると、電子機器１で日の入りの方位を確認してからカメラの構図を定め、日の入り時刻まで待機する。これによって、日の入りシーンのシャッターチャンスを確実に捉えることができる。ご来光撮影（日の出シーンの撮影）においても同様である。また、ユーザーは、日中の登山において日の入りの方位を確認しながらペースやルートを見直すことで、無理のない安全な山行をすることができる。
【００３６】
なお、ユーザーは、電子機器１の操作部（ボタンなど）を操作することにより、電子機器１に対してモード切替指示を入力することができる。ここで、電子機器１のモードには、日の出・日の入りの方位表示モード、月の出・月の入りの方位表示モードなどがある。以下、天体として太陽を想定し、日の出・日の入りの方位表示モードを主として説明するが、天体が月である場合や金星である場合も同様である。
【００３７】
［機器の構成］
図２は、電子機器１の構成例を示す機能ブロック図である。図２に示すように、電子機器１は、ＧＰＳセンサー１１０、地磁気センサー１４０、処理部１２０、記憶部１３０、操作部１５０、計時部１６０、表示部１７０及び音出力部１８０を含んで構成される。但し、電子機器１の構成は、これらの構成要素の一部を削除又は変更し、或いは他の構成要素を追加したものであってもよい。
【００３８】
ＧＰＳセンサー１１０は、電子機器１の位置を示す測位データ（緯度、経度）を生成して処理部１２０へ出力するセンサーであって、例えばＧＰＳ受信機（GPS: Global Positioning System）等を含んで構成される。ＧＰＳセンサー１１０は、外部から到来する所定周波数帯域の電磁波を不図示のＧＰＳアンテナで受信し、ＧＰＳ衛星からのＧＰＳ信号を抽出すると共に、当該ＧＰＳ信号に基づき電子機器１の位置を示す測位データを生成する。
【００３９】
地磁気センサー１４０は、電子機器１から見た地球の磁場の方向を示す地磁気ベクトルを検出するセンサーであって、例えば、互いに直交する３つの軸方向の磁束密度を示す地磁気データを生成する。地磁気センサー１４０には、例えば、ＭＲ（Magnet resistive）素子、ＭＩ（Magnet impedance）素子、ホール素子などが用いられる。
【００４０】
処理部１２０は、例えば、ＣＰＵ（Central Processing Unit）、ＤＳＰ（Digital Signal Processor）、ＡＳＩＣ（Application Specific Integrated Circuit）等により構成され、記憶部１３０に記憶されたプログラム（表示制御プログラム１３２など）と、操作部１５０を介して入力されたユーザーの指示とに従い、各種の処理を行う。処理部１２０による処理には、ＧＰＳセンサー１１０又は地磁気センサー１４０の生成するデータに対するデータ処理、表示部１７０へ画像を表示させる表示制御処理、音出力部１８０に音を出力させる音出力制御処理などが含まれる。
【００４１】
記憶部１３０は、例えば１又は複数のＩＣメモリーなどにより構成され、表示制御プログラム１３２、天文演算用テーブル（地球に対する天体の相対的な位置関係を示す情報の一例）１３１などのデータが記憶されるＲＯＭと、処理部１２０の作業領域となるＲＡＭとを有する。
【００４２】
操作部１５０は、例えばボタン、キー、マイク、タッチパネルなどで構成され、ユーザーからの指示を適当な信号に変換して処理部１２０に送る処理を行う。
【００４３】
計時部１６０は、例えば、リアルタイムクロック（ＲＴＣ：Real Time Clock）ＩＣなどにより構成され、年、月、日、時、分、秒等の時刻データを生成する処理を行う。
【００４４】
表示部１７０は、例えばＬＣＤ（Liquid Crystal Display）、有機ＥＬ（Electroluminescence）ディスプレイ、ＥＰＤ（Electrophoretic Display）、タッチパネル型ディスプレイ等で構成され、処理部１２０からの指示に従って各種の画像を表示する。
【００４５】
音出力部１８０は、例えばスピーカー、ブザー、バイブレーターなどで構成され、処理部１２０からの指示に従って各種の音（又は振動）を発生させる。
【００４６】
［電子機器の基本動作］
処理部１２０は、表示制御プログラム１３２に応じて例えば以下のとおり動作する。
【００４７】
先ず、処理部１２０は、計時部１６０の生成する時刻データ（年、月、日、時、分、秒）と、ＧＰＳセンサー１１０の生成する測位データ（緯度、経度）とに応じて、天文演算用テーブル１３１を参照することにより、（１）本日における日の出の方位、（２）本日における日の入りの方位、（３）現時点（現在時刻）における日の方位、（４）本日における日の出時刻、（５）本日における日の入り時刻などを求める。
【００４８】
また、処理部１２０は、地磁気センサー１４０の生成する地磁気データに基づき、（６）現時点における電子機器１の姿勢（地軸に対する姿勢）を求める。
【００４９】
次に、処理部１２０は、（１）本日における日の出の方位、（２）本日における日の入りの方位、（３）現時点における日の方位、（４）本日における日の出時刻、（５）本日における日の入り時刻、（６）現時点における電子機器１の姿勢（地軸に対する姿勢）、（７）現在時刻などを示す画像データを作成する。
【００５０】
次に、処理部１２０は、作成した画像データを表示部１７０へ送出することにより、（１）本日における日の出の方位、（２）本日における日の入りの方位、（３）現時点における日の方位、（４）本日における日の出時刻、（５）本日における日の入り時刻、（６）現時点における電子機器１の姿勢（地軸に対する姿勢）、（７）現在時刻などを示す画像を表示部１７０へ表示させる。
【００５１】
ここで、天文演算用テーブル１３１には、例えば、年月日及び測位位置（緯度、経度）の組み合わせごとに、（１）本日における日の出の方位、（２）本日における日の入りの方位、（３）現時点における日の方位、（４）本日における日の出時刻、（５）本日における日の入り時刻などが格納されている。また、天文演算用テーブル１３１は、例えば、年月日時刻及び測位位置（緯度、経度）の組み合わせごとに、（３）現時点における日の方位が格納されている。また、天文演算用テーブル１３１には、太陽以外の天体（月、金星など）についての同様の情報が天体ごとに記憶されている。
【００５２】
つまり、処理部１２０は、測位データ（地球における電子機器１の位置を示す情報の一例）、天文演算用テーブル１３１（地球に対する天体の相対的な位置関係を示す情報の一例）などに基づき、日の入りの方位、日の出の方位などを求める。
【００５３】
なお、ここでは、本日における日の出の方位、本日における日の入りの方位、現時点における日の方位、本日における日の出時刻、本日における日の入り時刻などを求めるために、処理部１２０が天文演算用テーブル１３１を利用したが、処理部１２０が利用する情報は、テーブルではなく計算式であってもよいし、テーブルと計算式との組み合わせであってもよい。日の出の方位、日の入りの方位、現時点における日の方位などを求めるための演算（天文演算）の内容は公知であるので、説明を省略する。
【００５４】
［表示画面］
図３は、処理部１２０が表示部１７０に表示させる画面（表示画面）の一例である。ここでは、表示画面の輪郭が円形であると仮定し、基本的には、二値のモノクロ画面（白と黒の組み合わせ、グレーと黒の組み合わせ、グレーと白の組み合わせ、明るさの異なる２つのグレーの組み合わせなど）で表示画面が構成されると仮定する。但し、各図において相対的に明るい部分の色と、相対的に暗い部分の色とは、反転しても構わない。また、表示画面における各部の輝度値は、図に表した各部の明るさ（輝度値）と完全に一致するとは限らない。
【００５５】
先ず、処理部１２０は、図３（Ａ）に示すとおり、日の出の方位及び日の入りの方位を、円弧状のスケールを用いて表示する。表示画面が小さい場合には、画面デザインが複雑になることを避けるため、円弧状のスケールには目盛が付されていない方が望ましいこともある。そこで、本実施形態の処理部１２０は、円形の表示画面の輪郭を利用し、その輪郭を、目盛りの無い円弧状のスケールとみなして表示を行う。
【００５６】
図３（Ａ）の例では、日の出の方位及び日の入りの方位と共に、北の方位を示すイメージ（北針イメージ）１７Ａが表示されている。つまり、一つの画面に、日の出の方位、日の入りの方位、および北針イメージ１７Ａが表示されている。また、図３（Ａ）において符号１７Ｃで示すのは、表示画面の１２時方向の方位角を示すテキストイメージ「０°」である。つまり、図３（Ａ）に示す例は、表示画面の１２時方向が北針に一致しているときの例である。
【００５７】
なお、ここでいう「表示画面の１２時方向」とは、表示画面を１２時制の時計の文字板とみなした場合における１２時の方向のことである。
【００５８】
また、図３（Ａ）において符号１７Ｂで示す部分輪帯状イメージは、日の出の方位から日の入りの方位までの角度範囲（方位角の範囲）を、円弧状のスケールで表したものである。部分輪帯状イメージ１７Ｂの一方の端部１７Ｂ−１は、日の出の方位を示しており、部分輪帯状イメージ１７Ｂの他方の端部１７Ｂ−２は、日の入りの方位を示している。
【００５９】
また、処理部１２０は、地軸に対する電子機器１の姿勢が変化した場合には、例えば図３（Ｂ）に示すとおり表示の方向を回転させることにより、表示される方位を現実の方位と常に一致させる。図３（Ａ）に示す例は、表示画面の１２時方向の方位角が０°であるときの例であるのに対して、図３（Ｂ）に示す例は、表示画面の１２時方向の方位角が２６０°であるときの例である。つまり、処理部１２０は、表示する方位を現実の方位に常に一致させる。なお、ここでの「一致」は完全な一致に限らず、例えば、地磁気センサー１１０に由来する誤差、地軸に対する電子機器１の姿勢の算出の過程で生じる誤差、表示部１７０の表示の制約などによる表示のずれを許容するものとする。
【００６０】
また、処理部１２０は、部分輪帯状イメージ１７Ｂ（つまり日の出の方位及び日の入りの方位）と共に、図４（Ａ）、図４（Ｂ）に示すとおり現時点（現在時刻）における日の方位を表示することもできる。図４（Ａ）、図４（Ｂ）の例では、部分輪帯状イメージ１７Ｂの一部に切欠き部（非表示部、欠落部）１７Ｇが設けられており、円弧状スケールにおける切欠き部１７Ｇの位置が、現時点における日の方位を示している。この場合、ユーザーは、日の出の方位、日の入りの方位、現時点における日の方位の３つの方位を、同時に確認することができる。
【００６１】
また、処理部１２０は、図３（Ａ）、図３（Ｂ）に示すとおり、現在時刻を示す例えば「１４：２０」のテキストイメージ１７Ｆと、日の出時刻を示す例えば「５：１７」のテキストイメージ１７Ｅと、日の入り時刻を示す例えば「１８：２２」のテキストイメージ１７Ｄとを、部分輪帯状イメージ１７Ｂ（つまり日の出の方位及び日の入りの方位）と共に表示する。
【００６２】
従って、ユーザーは、現時点から日の出又は日の入りまでの残り時間を認識することができる。なお、図示省略したが、処理部１２０は、日の出時刻又は日の入りの時刻までの残り時間を計算し、その時間を示すテキストイメージ（不図示）を、部分輪帯状イメージ１７Ｂ（つまり日の出の方位及び日の入りの方位）と共に表示してもよい。つまり、処理部１２０は、日の出又は日の入りまでのカウントダウン表示を行ってもよい。
【００６３】
また、処理部１２０は、表示画面の１２時方向を、ユーザーの正面とみなして表示を行う。例えば、図３（Ａ）、図３（Ｂ）に示すとおりに電子機器１の姿勢が変化した場合であっても、処理部１２０は、ユーザーにとってテキストが常に正しい姿勢で見えるように表示を行う。
【００６４】
１−２．実施形態の補足
なお、表示画面は、図３又は図４に示したものに限定されることはなく、例えば、図５（Ａ）、図５（Ｂ）、図５（Ｃ）、図５（Ｄ）、図５（Ｅ）、図５（Ｆ）、図６の何れかのとおりに変形することもできる。
【００６５】
図５（Ａ）に示す例では、円弧状のスケールに沿って配列された複数のマークを部分輪帯状パターンの代わりに利用している。図５（Ａ）において符号ａは、日の入りの方位を示しており、符号ｂは、日の出の方位を示しており、符号ｃは、現時点における日の方位を示している。つまり、図５（Ａ）に示す例では、複数のマークの配列範囲ａ〜ｂによって日の出の方位から日の入りの方位までの角度範囲を示し、配列範囲ａ〜ｂの一部ｃにおいてマークを非表示とすることにより、現時点における日の方位を示している。なお、一部のマークを非表示とする代わりに、一部のマークに対して他のマークとは異なる色を付与することで、同様の機能を得てもよい。また、個々のマークの形状としては、円形、多角形など、様々な形状を採用することができる。
【００６６】
図５（Ｂ）に示す例では、円弧状のスケールにおいて点在する複数のマークを部分輪帯状パターンの代わりに利用している。図５（Ｂ）において符号ａで示すマークは、日の入りの方位を示しており、符号ｂで示すマークは、日の出の方位を示しており、符号ｃで示すマークは、現時点における日の方位を示している。つまり、図５（Ｂ）に示す例では、点在する３つのマークにより、日の出の方位、日の入りの方位、現時点における日の方位を示している。なお、現時点における日の方位を示すマークに対して、他のマークとは異なる色を付与してもよい。また、個々のマークの形状は、円形、多角形など、様々な形状を採用することができる。
【００６７】
図５（Ｃ）に示す例では、部分輪帯状イメージの代わりに１対の湾曲した涙型イメージ及び１つのドットマークを利用している。図５（Ｃ）において一方の涙型イメージの端部ａは、日の入りの方位を示しており、他方の涙型イメージの端部ｂは、日の出の方位を示しており、ドットマークｃは、現時点における日の方位を示している。なお、現時点における日の方位を示すドットマークｃに対して、１対の涙型イメージとは異なる色を付与してもよい。
【００６８】
図５（Ｄ）に示す例では、部分輪帯状イメージの代わりに扇状イメージを利用している。図５（Ｄ）において扇状イメージの周方向の一方の端部ａは、日の入りの方位を示しており、他方の端部ｂは、日の出の方位を示している。また、扇状イメージの一部には切欠き部ｃが設けられており、切欠き部ｃは、現時点における日の方位を示している。なお、図５（Ｄ）に示す例では、径方向における切欠き部ｃの深さは、図５（Ｄ）に示した深さに限定されることはない。
【００６９】
図５（Ｅ）に示す例は、図５（Ｂ）に示す例において、マークの代わりに三角記号を利用したものである。三角記号の頂点の向きは、円弧状スケールの側（つまり、円形の表示画面の輪郭側）を向いている。図５（Ｅ）において符号ａで示す三角記号は、日の入りの方位を指しており、符号ｂで示す三角記号は、日の出の方位を指しており、符号ｃで示す三角記号は、現時点における日の方位を指している。なお、現時点における日の方位を示す三角記号に対して、他の三角記号とは異なる色を付与してもよい。
【００７０】
図５（Ｆ）に示す例は、図５（Ｂ）に示す例において、マークの代わりにテキストイメージを利用したものである。図５（Ｆ）に示す例では、時刻を表すテキストイメージがマークの代わりに利用されている。なお、図５（Ｂ）に示す例においては、時刻を表すテキストイメージの代わりに方位角を表すテキストイメージが利用されてもよい。また、現時点における日の方位を示すテキストイメージに対して、他のテキストイメージとは異なる色を付与してもよい。
【００７１】
また、上記の説明では、表示画面の輪郭が円形であると仮定し、表示画面の最外周を円弧状スケールとして利用したが、表示部１７０の表示画面の輪郭が長方形又は正方形である場合にも同様の画面デザインを採用することができる。
【００７２】
例えば、図６に示すように表示画面が長方形である場合には、表示画面内に円形の表示領域Ａ１を設け、表示領域Ａ１の内部に、図３、図４、図５の何れかに示したものと同様の表示を行ってもよい。また、表示画面が長方形である場合には、円形の表示領域Ａ１と表示画面の輪郭との間に間隙ができるので、例えば図６に示すとおり幾つかのテキストイメージの表示先を当該間隙の部分としてもよい。このように、幾つかのテキストイメージの表示先を表示領域Ａ１から外せば、表示領域Ａ１の内容をシンプルにすることができる。なお、図６において符号１０００で示したのが電子機器であり、符号１１７０で示したのが電子機器１０００に搭載された表示部の表示画面であり、符号１３００で示したのが電子機器１０００をユーザーの手首へ装着するための装着具（例えば時計ベルト）であり、符号１２００で示したのが電子機器１０００に搭載された操作部（例えばリューズ状の操作部）である。
【００７３】
また、本実施形態の電子機器１は、画面デザインや表示項目をユーザーに選択させてもよい。例えば、処理部１２０は、図３、図４、図５に示した複数の画面デザインのうち、ユーザーが予め選択したデザインにより日の入りの方位及び日の出の方位を表示してもよい。また、処理部１２０は、予め決められた幾つかの表示項目、例えば、（１）現在時刻、（２）日の入り時刻、（３）日の出時刻、（４）残り時間、（５）１２時方向の方位角のうち、ユーザーが選択しなかった項目を、非表示としてもよい。なお、ユーザーによるデザイン又は項目の選択は、操作部を介して行われる。
【００７４】
また、本実施形態の電子機器１の表示モードとしては、日の出・日の入りの方位表示モード、月の出・月の入りの方位表示モードの他に、コンパスモードが設けられてもよい。コンパスモードは、一般の方位磁石（筒状ケースと文字盤と針とを有するもの）と同様の機能を発揮するモードである。コンパスモードにおける表示画面は、例えば、図３に示す表示画面において部分輪帯状イメージ１７Ｂを省略したものに相当する。
【００７５】
２．実施形態の作用効果
以上説明したとおり、実施形態に係る電子機器１は、日の出の方位（天体の出の方位の一例）及び日の入りの方位（天体の入りの方位の一例）を、円弧状のスケールを用いて表示する（図３、図４などを参照）。
【００７６】
このように、方位を示すためにテキストではなく円弧状のスケールを用いれば、通常の方位磁石と同様に、日の出の方位（天体の出の方位の一例）及び日の入りの方位（天体の入りの方位の一例）をユーザーへ感覚的に知らせることができる。また、仮に、円弧状のスケールに詳細な目盛りを付与しなかったとしても、ユーザーは、日の出の方位（天体の出の方位の一例）及び日の入りの方位（天体の入りの方位の一例）を認識することが可能である。従って、日の出の方位（天体の出の方位）及び日の入りの方位（天体の入りの方位）の表示に要するスペースは、小さく抑えられる。また、円弧状のスケールを用いた場合は、テキストを用いた場合よりも分かり易いため、ユーザーが電子機器１の使用説明書の確認を省略した場合であっても、電子機器１の表示内容を誤認する可能性は低い。従って、電子機器１の操作に慣れていないユーザー、細かい文字を読むことを省略したいユーザー、説明書を読むことを省略したいユーザーなどにとっても、電子機器１は使い勝手が良い。
【００７７】
また、実施形態に係る電子機器１は、表示される方位が現実の方位と一致するように表示を行う（図３（Ａ）、図３（Ｂ）、図４（Ａ）、図４（Ｂ）を参照。）。
【００７８】
従って、ユーザーが如何なる方向を向こうとも、日の出の方位（天体の出の方位の一例）及び日の入りの方位（天体の入りの方位の一例）は常に実際の方位を示す。よって、例えば、写真撮影の構図を決める際に、ユーザーが姿勢を様々に変化させた場合であっても、日の出の方位（天体の出の方位の一例）及び日の入りの方位（天体の入りの方位の一例）をユーザーが容易に認識できる（つまり、ユーザーが誤って認識する虞は無いと考えられる。）。
【００７９】
また、実施形態に係る電子機器１は、出の方位及び入りの方位と共に、現時点（現在時刻）における日（天体の一例）の方位を表示する（図４における符号１７Ｇを参照。）。
【００８０】
従って、ユーザーは、過去、現在、未来における日（天体の一例）の大まかな動きを把握することができる。また、ユーザーは、この表示により、現時点から出の時刻又は入りの時刻までのおおよその時間を推測することも可能である。
【００８１】
また、実施形態に係る電子機器１は、出の時刻と入りの時刻との少なくとも一方を、前記出の方位及び前記入りの方位と共に表示する（図３における符号１７Ｄ、１７Ｅを参照。）。
【００８２】
従って、ユーザーは、出の方位及び入りの方位と共に、出の時刻又は入りの時刻を正確に知ることができる。
【００８３】
また、実施形態に係る電子機器１は、出の時刻又は入りの時刻までの残り時間を、出の方位及び入りの方位と共に表示することもできる（不図示）。
【００８４】
この場合、ユーザーは、現時点から出の時刻又は入りの時刻までの時間を正確に知ることができる。
【００８５】
また、実施形態に係る電子機器１は、出の方位から入りの方位までの角度範囲を部分輪帯状のイメージで表す（図３、図４を参照）。
【００８６】
従って、ユーザーは、出の方位から入りの方位までの方位角を直感的に知ることができる。また、ユーザーは、おおよその日照時間の長さ（天体を観測可能な時間の長さ）や、おおよその夜間の長さ（天体を観測できない時間の長さ）などを把握することもできる。
【００８７】
また、実施形態に係る電子機器１は、測位データ（地球における電子機器１の位置を示す情報の一例）と、天文演算用テーブル１３１（地球に対する天体の相対的な位置関係を示す情報の一例）とに基づき、入りの方位及び出の方位を求める。
【００８８】
従って、電子機器１に表示される入りの方位及び出の方位は、地球における電子機器の位置に対応した方位であるので、ユーザーにとって適切な入りの方位及び出の方位を提示できる。また、地球に対する天体の相対的な位置関係を示す情報として天文演算用テーブル１３１を使用すれば、入りの方位及び出の方位を求めるための計算量を軽減することもできる。
【００８９】
また、実施形態に係る電子機器１は、ユーザーの所定部位へ装着可能である。
【００９０】
従って、ユーザーは、日の出の方位（天体の出の方位の一例）及び日の入りの方位（天体の入りの方位の一例）を、ハンズフリーの状態で確認することができる。
【００９１】
また、実施形態に係る電子機器１は、ユーザーの腕又は手首に装着可能である。
【００９２】
従って、ユーザーは、電子機器１を腕時計等と同様の感覚で使用することができる。
【００９３】
また、実施形態に係る電子機器１は、表示画面の１２時方向をユーザーの正面とみなして表示を行う。
【００９４】
従って、ユーザーは、電子機器１を腕時計等と同様の感覚で使用することができる。しかも、ユーザーの腕の姿勢が変化した場合であっても、電子機器１に表示された内容が読みとりにくくなるという事態を避けることができる。
【００９５】
また、実施形態に係る電子機器１は、天体として太陽又は月を想定する。
【００９６】
従って、ユーザーは、日の入りの方位又は月の入りの方位、日の出の方位又は月の出の方位を、電子機器１で確認することができる。よって、例えば、太陽の撮影において、ユーザーがカメラの構図を定める際に電子機器１を利用できる。また、例えば、月の観察又は撮影において、ユーザーが望遠鏡の視野又はカメラの構図を定める際に電子機器１を利用できる。
【００９７】
３．変形例
本発明は上記の実施形態に限定されず、本発明の要旨の範囲内で種々の変形実施が可能である。
【００９８】
例えば、電子機器１には、公知のスマートフォンの機能、例えば、カメラ機能、通話機能などが搭載されてもよい。
【００９９】
また、電子機器１には、登山に必要な各種のセンシング機能、例えば、温度センサー、湿度センサー、標高センサー（気圧センサー）などが搭載されてもよい。
【０１００】
また、上記の実施形態における電子機器１は、リスト型電子機器の他、ヘッドマウントディスプレイ（ＨＭＤ：Head Mount Display）やスマートフォン等の携帯情報機器などで構成されてもよい。
【０１０１】
また、上記の実施形態における電子機器１に通信機能を搭載し、電子機器１が取得したデータの少なくとも一部を、インターネットサーバーにアップロードしてもよい。その場合、必要なタイミングかつ所望の端末でユーザーがデータを閲覧又はダウンロードすることができる。
【０１０２】
また、上記の実施形態の電子機器１は、ユーザーに対する情報の通知を、表示により行ったが、表示に加えて、通知音又は振動を発してもよい。その場合、表示部１７０に加えて音出力部１８０が使用される。
【０１０３】
また、上記の実施形態では、全地球衛星測位システムとしてＧＰＳ（Global Positioning System）を利用したが、他の全地球航法衛星システム（ＧＮＳＳ：Global Navigation Satellite System）を利用してもよい。例えば、ＥＧＮＯＳ(European Geostationary-Satellite Navigation Overlay Service)、ＱＺＳＳ（Quasi Zenith Satellite System）、ＧＬＯＮＡＳＳ（GLObal NAvigation Satellite System）、ＧＡＬＩＬＥＯ、ＢｅｉＤｏｕ（BeiDou Navigation Satellite System）、等の衛星測位システムのうち１又は２以上を利用してもよい。また、衛星測位システムの少なくとも１つにＷＡＡＳ（Wide Area Augmentation System）、ＥＧＮＯＳ(European Geostationary-Satellite Navigation Overlay Service)等の静止衛星型衛星航法補強システム（ＳＢＡＳ：Satellite-based Augmentation System）を利用してもよい。
【０１０４】
また、上述した各実施形態及び各変形例は一例であって、これらに限定されるわけではない。例えば、各実施形態及び各変形例を適宜組み合わせることも可能である。
【０１０５】
また、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【０１０６】
１  電子機器、１１０  ＧＰＳセンサー、１２０  処理部、１３０  記憶部、１４０  地磁気センサー１４０、１５０  操作部、１６０  計時部、１７０  表示部、１８０  音出力部
【図１】
2016138779.tif 000003
【図２】
2016138779.tif 000004
【図３】
2016138779.tif 000005
【図４】
2016138779.tif 000006
【図５】
2016138779.tif 000007
【図６】
2016138779.tif 000008